(57)【特許請求の範囲】
【請求項１】
目（１４）の視覚特性を測定するための装置（１０）であって、目（１４）の網膜（１８）上に二次放射（３６）の光源を配置するための手段（６６）を含み、該二次放射（３６）は、目（１４）を通過する放射の反射波面（３８）としてそこから放出されて反射波面（３８）に関連した歪みを測定するための波面センサー（４２）上に送られる上記装置（１０）において、
フォーカス手段（７０）が光ビーム（１２）を小角度（１３）に収束させて、目（１４）の網膜（１８）の前方の位置（２０）にて光ビーム（１２）をフォーカスし、目（１４）の網膜（１８）上の照明された領域としての二次放射（３６）の光源を形成することを特徴とする上記装置（１０）。
【請求項２】
フォーカス手段（７０）が、光ビーム（１２）を小角度（１３）に収束させるための長焦点距離レンズ（７０）から成る、請求項１記載の装置（１０）。
【請求項３】
長焦点距離レンズ（７０）が、少なくとも１／２メートル長の焦点距離を有する、請求項２記載の装置（１０）。
【請求項４】
フォーカス手段（７０）が、光ビーム（１２）を小角度（１３）に収束させ且つ光ビーム（１２）を複数の前方位置（２０）のうちの一つ（２２）上に収束させるためのズームレンズ（７０）から成る、請求項２記載の装置（１０）。
【請求項５】
前方位置（２０）が目（１４）の前方表面（２２）を含む、請求項１記載の装置（１０）。
【請求項６】
前方位置（２０）が目（１４）の角膜（２４）の前方表面（２２）を含む、請求項１記載の装置（１０）。
【請求項７】
光ビーム（１２）がレーザービームから成る、請求項１記載の装置（１０）。
【請求項８】
光ビーム（１２）を偏光させるための偏光手段（７６）をさらに含む、請求項１記載の装置（１０）。
【請求項９】
反射波面（４０）のＳ成分を反射させ且つ反射波面（４０）のＰ成分を偏光波面として通過させるための偏光ビームスプリッター（７６）をさらに含む、請求項１記載の装置（１０）。
【発明の詳細な説明】
【０００１】
関連出願
この出願は、この出願と共通の所有者の１９９８年８月１９日付提出の仮出願シリアル番号６０／０８７，０８６「人間の目の視覚障害を測定する装置及び方法」に関連する。
【０００２】
発明の背景
発明の分野
本発明は、一般に光学収差の測定及び補正に関し、特に、客観測定における投射技術及び波面センサーを用いた人間の目の補正に関する。
【０００３】
背景技術の説明
人の視力を向上させる必要性はずっと存在し続けている。屈折レーザー手術や角膜内移植による角膜の改造、眼内レンズ移植や精密グランドコンタクトレンズによる合成レンズの追加、又はめがねは、既存の解決策を与える。また、レーザー角膜形成、角膜曲率形成又は光屈折角膜切除による近視又は遠視の乱視眼を外科的に修正して乱視矯正的に視覚を補正することは知られている。レーザー光源は目の表面を腐食又は切除するのに使用され、一般には角膜を作り直す。このような手術の前及びその最中においては、要求される外科的補正を求めるために正確な測定が為されなければならない。
【０００４】
角膜の前方に既知の屈折力のレンズを配置して、どのレンズ又はレンズの組み合わせが最も明瞭な視覚を与えるかを患者に尋ねるという不正確な測定技術は、例えばＰｅｎｎｙ 他への米国特許第５，２５８，７９１号に記載のような自動屈折計の使用により、又は例えばＬｉａｎｇ 他による「ハートマン−シャック波面センサーの使用による人の目の波収差の客観測定（Ｏｂｊｅｃｔｉｖｅ Ｍｅａｓｕｒｅｍｅｎｔ ｏｆ Ｗａｖｅ Ａｂｅｒｒａｔｉｏｎｓ ｏｆ ｔｈｅ Ｈｕｍａｎ Ｅｙｅ ｗｉｔｈ ｔｈｅ Ｕｓｅ ｏｆ ａ Ｈａｒｔｍａｎｎ−Ｓｈａｃｋ Ｗａｖｅ−Ｆｒｏｎｔ Ｓｅｎｓｏｒ）」（Ｊｏｕｒｎａｌ ｏｆ ｔｈｅ Ｏｐｔｉｃａｌ Ｓｏｃｉｅｔｙ ｏｆ Ａｍｅｒｉｃａ， Ｖｏｌ．１， Ｎｏ． ７ ，１９９４年７月、第１９４９〜１９５７頁）に記載のような波面センサーの使用により改善されてきている。Ｐｅｎｎｙ への米国特許’７９１号には、平行な光線が網膜に正確にフォーカスしかつ視覚が最適な場合の正常な目の状態である正常視を与えるべく、自動屈折計による測定で適切な角膜表面の新形態を決めることが開示されている。空間的に分析された屈折データは、目の前方表面の測定された現在の表面輪郭と組み合わされて、補正された視覚を与える空間的に解析された新たな詳しい輪郭を計算することを可能にする。この輪郭データの必要性なく、適当なレンズに関する患者からのフィードバックの必要性なくこのような視覚補正が為され得るならば、この技術の改善となるでろう。Ｌｉａｎｇ 他は、ハートマン−シャック波面センサーを使用することを開示しており、網膜窩上にフォーカスされたレーザー光スポットの網膜反射により目から出てくる波面を測定することにより目の収差を測定する。レーザー光の平行ビームはビームスプリッターとレンズ対を通過し、目の光学系によりビームを網膜上の焦点に運ぶ。検査される目の近視又は遠視は、レンズ対内でのレンズの移動により補正される。次に、窩上にフォーカスされた光は、拡散して反射すると仮定され、網膜上に位置する点光源として作用する。反射された光は目を通過し、目の収差を原因として目の前方で歪んだ波面を形成する。収差波面は波面センサーに送られる。
【０００５】
網膜上の放射の点光源はこのような測定には理想的である。しかしながら、完全な目が光のコリメートビームを受ける場合には、網膜上での可能な最良の像は回折限界スポットである。例として上記Ｐｅｎｎｙ 他及びＬｉａｎｇ 他に関して説明したように、さらにまた国際出願公報ＷＯ９８／２７８６３や独国特許公報ＤＥ４２２２３９５Ａ１に記載のように当該技術の習熟者には一般的ではあるが、平行又はコリメートされたビームが測定されている目の光学系と共に用いられて、このような客観測定のためにこの回折限界スポットを達成している。例として、ＷＯ９８／２７８６３は、１．５ｍｍ径のビームを瞳孔に配置して目のレンズを用いてレーザービームを網膜上にフォーカスすること、及び場合により検査されている目の近視又は遠視が目や焦点を与える組合せレンズの移動により補正されることを教示する。従来技術が教示するものは、例えば心配している患者を扱う場合には厄介で実際的ではない。従来技術が教示するものでは、各患者に対するセットアップが補正レンズ又はレンズの組み合わせを伴い且つ患者の特定の視力に適合させるべくその調整を行うことを要する。矯正する手段又はレンズの組み合わせを設けること、及びそれらの使用のためのセットアップは、厄介で時間が掛かり追加の費用も必要となる。このような矯正光学系の必要性を除くことが望まれ、それにより一般に多くの変数を伴う光学測定システム内での変数が除去される。さらに、患者からのフィードバックを要求することなく目の光学特性を与える必要性も存在する。例として、患者としては生きている又は死んでいる野生動物又は家畜が考えられる。
【０００６】
発明の概要
従って、上記背景の観点から、本発明の目的は、有限な屈折誤差が存在する場合でさえ目の視覚特性の測定に容易に適合する屈折測定システムを提供することである。別の目的は、検査中患者に要求される固定位置にいるべき時間を改善すると共に、検査される患者又は他の患者の目の特性に関わりなく、測定される目の網膜上に有用な光源を与えることである。さらなる目的は、患者又はオペレータからの応答を要求することなく、これらの特性を測定することである。
本発明のこれら及びその他の目的、利点並びに特徴は、本発明の方法により与えられる。該方法は、光学系の前方表面近くで光ビームをフォーカスして光学系の焦点面上に二次放射の限定光源を配置することを伴って光学系の光学特性を測定する。この二次放射は、焦点面から放射の反射波面として放出され、光学系を通過して波面分析器上に反射波面を投射し、反射波面に関連した光学系の特性を測定する。好ましい実施態様では、本方法は、目の障害を測定すること、反射波面を波面分析器に送ること、及び反射波面に関連した歪みを測定することを含む。その際、目の障害の測定では、光ビームを目の前方表面上にフォーカスして目の網膜上に二次放射の限定光源を与えるステップを伴い、この二次放射は、網膜から反射波面として放出されて目を通過する。本発明の好ましい実施態様は、投射された光ビームを角膜の前方表面上にフォーカスするステップを含む。
【０００７】
このような測定を効果的に行うための装置は、光ビームを光学系又は目の前方表面上にフォーカスして焦点面又は目の網膜上に限定的な二次放射光源を与えるためのフォーカス手段であって、この限定的な二次放射光源は網膜から放射の反射波面として放出されて目を通過する前記フォーカス手段、反射波面を波面分析器に送るための送出手段、及び反射波面に関連した歪みを測定するための波面分析器を含む。本発明の好ましい一実施態様では、ビームを小角度に収束する長焦点距離レンズによりレーザービームが角膜の表面上にフォーカスされ、目の虹彩を通過して目の網膜上に限定的な二次放射光源を与え、この限定的な二次放射光源は網膜から目の光学系を通って被測定波面として放出される。
【０００８】
好適実施態様の詳細な説明
以下、本発明の好適実施態様が示された添付図面に関して本発明をさらに十分に説明する。しかしながら、この発明は多くの異なる形態にて具体化できるので、ここに与えられた実施態様に限定して解釈されるべきでない。むしろ、この開示が完全で完備したものとなり当業者に本発明の範囲を十分に与えることができるように、これらの実施態様は与えられる。一貫して同様の番号は同様の要素を示す。
【０００９】
本発明の測定装置１０の好適実施態様を、図１の概略図に関してここに最初に記載する。光放射の投射ビーム１２が測定される目１４内に送られ、その結果、図２に示されるように、小さい領域又は測定可能なスポット１６が、網膜１８の窩領域内に二次放射光源として形成される。特に、ビーム１２は、目１４の前方表面２０上に小角度１３にフォーカスされ、本発明の好適実施態様では、角膜２４の前方角膜表面２２上にフォーカスされ、さらに虹彩２６とレンズ２８を通して網膜１８上に投射される。
【００１０】
さらなる背景として、図３Ａに示されたような理想的な視覚を有する「理想的な」目１４ｉを考える。理想的な角膜２４ｉと理想的なレンズ２８ｉを有する理想的な目１４ｉは、矢印３０で示された光のコリメートビームを理想的な網膜１８ｉ上に二次放射光源としてフォーカスする。このポイント３２は、一連の平面波３４として理想的な目１４ｉの光学系を通って後方に広がって反射する光の点光源となる。実際には、図４に例として示したように完全な視覚を有する目でさえ、起こりうる最良の状況下では目の網膜上に二次放射光源として回折限界照射領域又はスポット３６を作る。図４に示されるように、典型的な目では、このようなスポット３６は実際にはより大きく、その際のたいていのぼけは、典型的な目で見受けられる有限の収差を原因としている。別の例として、収差のある目１４ａでは、もし点光源３２が実現できるならば、図３Ｂに示されるように歪んだ波面３８が得られる。収差から生じる一連の歪んだ波面３８を扱い、さらには目の回折効果と有限収差から生じるこのような歪み波面３８のぼけを扱わなければならないことにより、点光源３２よりむしろスポット光源３６となる。これにより視覚障害又は目を測定する一つの試みが為される。
【００１１】
目の測定技術においては、一般に、図４に関して上記説明したように、目の光学系と共にレンズ及びレンズの組み合わせを用いてコリメートビームを形成して網膜上にコリメートビームをフォーカスするように試み、可能な最小スポット３６を作る。レンズ及びフォーカシング技術は、一般に貴重な時間を取り、種々のレンズ及びレンズの組み合わせを用いて網膜上にスポットをフォーカスして測定されている患者ごとに異なる視覚に適応すべく複数回の試みを伴う。本発明では、たいていのぼけが角膜の曲率から生じるという理解の下、二次放射光源として使用される網膜上のスポットのサイズを最小にするレンズ又はレンズの組み合わせを見つけ出す必要性が除かれる。
【００１２】
再度、図１と図２に記載の実施態様に関し、網膜１８から散乱された光波面４０が一連の光学要素（この節の後にさらに詳しく記載する）により波面センサー４２に送られる。波面センサー４２は、図５に示されるようにアパーチャー４６の平面アレイを有する不透明プレート４４を用いて、各入射波面をここで番号５０で示された「小波」グループに分割する。さらに、波面センサー４２は、アパーチャー４６を通過した各小波５０がここで一実施態様として与えられた電荷結合デバイス（ＣＣＤ）のような検出器平面５４に当たる位置４８を記録する。この検出器平面５４は、プレート４４の背後に一定の小距離５６にて保持される。ＣＣＤ検出器平面５４での各小波５０のコリメート光基準位置６０からの横変位５８は、平面アパーチャーアレイ内での各アパーチャー位置での波面傾斜を計算するのに使用される。傾斜の測定から得られる偏微分データを用いて波面４０を計算する別の方法が存在する。許容しうる一つのアプローチは、上記文献でＬｉａｎｇ 他により使用されたものであり、波面はゼルニケ（Ｚｅｒｎｉｋｅ）多項式を用いて近似される。
各位置４８では、一般には一つのＣＣＤ要素６４の光測定領域を越えて広がるスポット６２が作られる。上記記載のように、ぼけと大きな回折限界スポットが測定を困難にする。よって、ぼけを小さくすることにより、検出器平面５４での測定が改善される。
【００１３】
再度、図１に関し、本発明の好ましい一実施態様では、装置１０はダイオードレーザー６６（例として６７０ｎｍ、３ｍＷ）から放出された直線偏光（Ｓ成分）の投射ビーム１２を含み、この光ビームは電気−機械式シャッター６８を通過し、該シャッターが患者の目１４上への光の照射時間、特に図２に示されるような目１４の網膜１８への照射時間を制御する。当業者ならば、別の光伝送技術のみならず、例えば非コヒーレントで非偏光な光の別の光源を、本発明の範囲から逸脱することなく思いつくであろう。ここで述べたように、現在のところレーザーからのコヒーレント光の使用及び偏光技術が好ましい。シャッター６８が開くと、ダイオードレーザー４４からのコリメート光である投射ビーム１２が、長焦点距離レンズ７０により図２に示されるように目１４の角膜２４の前方表面２２上にフォーカスされ、目１４の瞳孔７２とレンズ２８を通過して網膜１８上に測定可能な小スポット１６として送られる。別の実施態様では、レンズ７０は、焦点を変え所望の焦点位置に移動させるためのズームレンズを含む。角膜２４上にフォーカスすることにより、測定は角膜の曲率に最小限しか依存しない。しかしながら、角膜表面に近い他の位置も許容できる。
【００１４】
回折や種々の収差が存在する場合に、本発明は一般に支配的な角膜からの収差効果を回避する。目１４のレンズ２８は、角膜２４と比べると、相対的に小さな収差効果に寄与する。さらにレンズ７０の選択に関し、短い焦点距離のレンズを選択すると、大きな角度１３、角膜２４の表面上に良くフォーカスしたポイント７８、及び角膜からのより小さい収差効果が得られる。しかしながら、大きな角度１３は、望ましくないより大きな網膜スポット１６を生じさせる。ここに記載の小さな角度１３は、角膜２４上により大きな焦点ポイント７８を与えるが、網膜１８上にはさらに望ましいより小さなスポット１６を与える。スポット１６は、波長及び開始点でのサイズ並びに選択されたレンズ７０の焦点距離に依存する。本発明の好ましい実施態様では、約１／２メートルのレンズがレンズ７０に選択される。１００ｍｍレンズ７０が効果的に使用されてきている。
ここに記載の好ましい一実施態様では、ミラー７４と偏光ビームスプリッター７６が、投射ビーム１２を角膜２４の前方表面２０上の焦点７８に送る。角膜２４の前方表面２２上にフォーカスされた投射ビーム１２は、図２に示されるように、測定されている目１４の網膜１８上に光源（例として可視空間内で約１．５ミリラジアン）として測定可能なスポット１６を与える。このようなスポット１６は、一般に想定される回折限界スポットの許容可能な代替物を与える。
【００１５】
有効な好ましい一例として、目１４の視覚特性を測定するための方法が、目１４の瞳孔７２を通ってビームを送る光学経路を中心として図２に示されるような小角度１３を与える長焦点距離レンズ７０を通ってビーム１２を送ることを伴う。目又は患者を適当な位置におくことなく、ビーム１２はまず固定位置７８にフォーカスされる。全測定設備たる装置１０は患者を適当な位置に配置することなく構成され、測定前に時間をとらず便利である。次に、患者の目１４の前方表面が好適実施態様では角膜の前方表面である固定位置７８に位置するように、患者を配置する。これは、ここに記載のような二次放射の限定光源たるスポット１６を目１４の網膜１８上に配置し、網膜１８から放射される光を反射波面として瞳孔７２を通って図３Ｂに記載の波面３８を与える。この波面３８は波面分析器４２に送られて測定される。
好ましい実施態様では、目に到達するレーザーパワーは、物理的に最大７μＷに制限される。装置１０を用いた人の目の測定においては、レーザーパルスの持続時間を７００ｍｓとして目に入る全エネルギーが４．９μＪを越えないようにした。比較のため、直接「イントラビーム（ｉｎｔｒａｂｅａｍ）」を見ることに対するＡＮＳＩ規格によると、使用される波長でのレーザーに対する最大許容照射は５３０μＪである。よって、本発明で効果的に使用されるプローブ・レーザー・エネルギーは、「目の安全」限度を２オーダーの大きさ下回っている。
【００１６】
再度、図２に関し、網膜１８により反射して広がった光は、波面４０、すなわち目の収差を原因とした瞳孔面での歪んだ波面を作り出す。拡散反射により、網膜から戻る光は減偏光され、偏光のＳ成分だけでなくＰ成分も含む。目１４の前の偏光ビームスプリッター７６は、Ｐ成分のみを通過させて下流の波面センサー４２に送る。Ｓ成分は本質的に全てダイオードレーザー６６に向けて反射される。角膜表面により反射された光は入射ビームの偏光（Ｓ偏光）を保持するので、角膜反射はビームスプリッター７６により反射され、よって、波面センサー４２に向かう経路８０から除外される。対象の瞳孔面での収差波面４０のＰ成分は、図１中に「トライアルレンズ（ｔｒｉａｌ ｌｅｎｓ）」として示されたトライアルレンズ平面８６にてレンズ８２とレンズ８４の組み合わせにより再生される。好ましい一実施態様では、レンズ８２とレンズ８４の直径とアパーチャーは、それぞれ４０ｍｍと１２０ｍｍである。レンズ８２とレンズ８４の組み合わせは、レンズ８２の焦点面にて目の瞳孔７２を有する無限焦点像系（対物平面）を形成し、レンズ８４の焦点平面にて像平面たるトライアルレンズ８６を形成する。同様に、レンズ８８とレンズ９０も、レンズ８８の焦点平面にて場合によってはトライアルレンズ８６を有する無限焦点像系を形成し、レンズ９０の焦点平面で像平面にレンズ組み合わせを形成する。図５に関して上記記載したように、レンズ９０の焦点平面は波面センサー４２のプレート４４に位置する。好ましい実施態様では、レンズ４は直径３０ｍｍ及び焦点距離８０ｍｍを有する。レンズ５は直径４０ｍｍ及び焦点距離１２０ｍｍを有する。装置１０により、目１４を離れる測定波面の傾斜は、アパーチャー平面４４にて再生され、ファクター１．５で拡大される。検出器平面５４での波面４０の拡大により、波面傾斜が同程度低減する。このことにより、本デバイスが測定できる目の収差のダイナミックレンジを広げる。
【００１７】
トライアルレンズの位置又は平面８６に関する更なる説明として、目１４を離れる波面４０は１倍の拡大にてこの位置８６で再生されるので、このポイントに挿入された既知の屈折力のトライアルレンズは、所定の屈折誤差を正確に補償すべきである。例えば、この位置に配置された完全な５ジオプトリー球面レンズは、波面に存在し得る他の収差を変えることなく、入射波面から球面曲率の５ジオプトリーを取り除くべきである。この位置８６にトライアルレンズを挿入できることにより、波面分析能力に影響を与えることなく、装置１０のダイナミック測定レンジが広げられる。
【００１８】
好ましい実施態様では、再度図５に関し、波面センサー４２のアパーチャーアレイ４６が、検出器平面５４上に焦点スポット６２を形成する入射波面４０をサンプリングする。このことが、検出器平面５４にてアレイ４６内の各アパーチャーに対して繰り返される。その結果、波面４０の局所化方向が、アレイ内の複数の小波５０の各々に対して求められる。例として、焦点距離８７ｍｍと大きさ０．７６８ｍｍのレンズレット（ｌｅｎｓｌｅｔ）９２を（アパーチャー４６単独の代替実施例として）使用すると、検出器平面５４上に網膜の光源（図２に関して上記説明したスポット１６）の虚像（ａｅｒｉａｌ ｉｍａｇｅ）が形成される。もし収差の無い目に対応した平面波が測定されるならば、レンズレット９２のアレイはイメージセンサー上にフォーカスされたスポットの規則的なアレイを作るであろう。現実の目１４が測定される際には、図５に関して上記説明した各レンズレット９２の焦点スポット６２を基準位置６０から測定位置５０に波面４０の局所傾斜に比例して変位させる。波面センサー４２は、瞳孔７２を横切るサンプリング位置の配列にて局所波面傾斜を測定し、それから波面４０自身が再構築され得る。
【００１９】
再度、図１に関して説明したように、本発明の方法の別の実施態様では、患者が装置１０の光学軸に沿って見ていることを保証するために、固定ターゲット９４が使用できる。患者はレンズ９６の焦点面に位置するターゲット９４を凝視するよう要請される。固定ターゲット９４の組合せ光学系９６を直線移動させることにより、目の球面補正を与えることができ、よって、対象が固定ターゲット９４を明瞭に見ることが可能となる。好ましい一使用法では、測定される目１４が無限遠にフォーカスされていることを確実にするべく、各患者は意識的に固定ターゲット９４の像を補正しない状態とする。例として、固定ターゲットは、タングステンランプによりバック照明された白い背景上の暗い十字線といくつかの同心円から成る。患者は十字線の中心を見るよう要請される。光学軸に対する目１４の位置は、ＣＣＤカメラ９８により記録される。このＣＣＤカメラ９８は、好ましくはカメラに取り付けられた第２組合せレンズ１００とレンズ８２、８４を通して目の瞳孔７２と連結効果にて結合している。本発明の一方法では、ビームが瞳孔７２を通過することを確実にすべく、目１４を見てビーム１２の経路内に目を整列させるのにカメラ９８が使用される。本発明の別の実施態様でも、ユーザーが焦点７８を前方表面の種々の位置に変えてスポット１６の最適サイズを得る際に、網膜１８上に形成されたスポット１６のサイズを見るにはカメラ９８が有効である。
【００２０】
本発明の効果的な使用の別の例として、集団的に得られる上記記載の目のゼルニケ係数が、指紋やＤＮＡのように識別するものとして使用できる。人のゼルニケ係数は、秘密領域にアクセスするのを可能にしたり、資金をＡＴＭを通じて送ることを許容したりするのに、その人の識別に使用できる。さらに、本発明は、死体や鎮静剤の与えられた動物の検査などのような受動的な対象に対する目の測定を可能にする。本発明は、動物、鳥又は魚の目だけでなく、ここに記載のように人間の目に対し使用でき、また、特にカメラに見受けられるような非生物的なフォーカシング光学系に対しても使用できる。光学系を補正する単一の顧客用非球面要素を観察し製造することにより非球面要素が最終的に設計される必要がある場合には、本発明は最適な非球面系を開発するのに有効である。例として、非球面系は補正要素を除いて紙上で設計できるが、補正要素はここに記載のような本発明を用いて実験的に開発される。追加の補正フォーカス要素を必要とする望遠鏡、サーチライト又はプロジェクターなどの無限焦点系の設計には、本発明が役立つ。
【００２１】
本発明の多くの変更や他の実施態様は、上記記載や関連図面から当該技術に習熟した者ならば思いつくであろう。従って、本発明は開示された特定の実施態様に限定されるべきでないこと、及び変更や他の実施態様は特許請求の範囲の範囲内に含まれるべく意図されることが理解される。
【図面の簡単な説明】
【図１】目の視覚障害を測定するための本発明の装置の説明図である。
【図２】本発明の装置により測定される目の説明図である。
【図３】図３Ａと図３Ｂはそれぞれ完全な視覚の理想的な目と収差のある理想的な目の説明図である。
【図４】網膜上で回折限界スポットにフォーカスされたコリメート光を用いて測定されている目の説明図である。
【図５】本発明の好ましい実施態様で使用される波面センサーのピンホールイメージング板と検出器平面の部分斜視図である。
【符号の説明】
１２    コリメートビーム
１４    目
１６    二次放射光源スポット
１８    網膜
２４    角膜
２６    虹彩
２８    レンズ
４２    波面センサー
６６    レーザー
６８    シャッター
７０    長焦点距離レンズ
７２    瞳孔
７６    偏光ビームスプリッター
９４    固定ターゲット
９８    ＣＣＤカメラ
【図１】
0003599276.tif 000002
【図２】
0003599276.tif 000003
【図３】
0003599276.tif 000004
【図４】
0003599276.tif 000005
【図５】
0003599276.tif 000006